(57)【特許請求の範囲】
【請求項１】
断熱構造のケーシング本体（１）と、該ケーシング本体（１）の一面に開閉自在に設けられた断熱構造の扉（２）とを備え、保管物の保冷又は保温が可能に構成された断熱庫であって、
前記ケーシング本体（１）は、一対の分割ケーシング（１Ａ，１Ｂ）により構成されると共に、一方の分割ケーシング（１Ａ）へ他方の分割ケーシング（１Ｂ）をスライド収納するように構成され、
前記各分割ケーシング（１Ａ，１Ｂ）の底部に移動用のキャスター（３Ａ，３Ｂ）が取り付けられている
ことを特徴とする断熱庫。
【請求項２】
請求項１において、
前記ケーシング本体（１）は、一方の分割ケーシング（１Ａ）に対する他方の分割ケーシング（１Ｂ）を任意のスライド収納位置に位置決めするように構成されている
ことを特徴とする断熱庫。
【請求項３】
請求項１において、
前記分割ケーシング（１Ａ，１Ｂ）および前記扉（２）は、合成樹脂製の内板（９）と外板（１０）との間に断熱材（１１）を充填して構成されている
ことを特徴とする断熱庫。
【請求項４】
請求項１において、
前記分割ケーシング（１Ａ，１Ｂ）の間には、一方の分割ケーシング（１Ａ）から他方の分割ケーシング（１Ｂ）を引き出した状態において、該分割ケーシング（１Ａ，１Ｂ）の間の気密を保持する第１のシール部材（１２）が設けられている
ことを特徴とする断熱庫。
【請求項５】
請求項１において、
前記分割ケーシング（１Ａ，１Ｂ）の間には、一方の分割ケーシング（１Ａ）内に他方の分割ケーシング（１Ｂ）を収納した状態において、該分割ケーシング（１Ａ，１Ｂ）の間の気密を保持する第２のシール部材（１５）が設けられている
ことを特徴とする断熱庫。
【請求項６】
請求項４において、
前記第１のシール部材（１２）は、前記他方の分割ケーシング（１Ｂ）の側面における収納方向の前端部に突設されたシール保持部材（１３）の背面側に取り付けられ、
前記一方の分割ケーシング（１Ａ）におけるスライド方向の後端部には、前記他方の分割ケーシング（１Ｂ）を引き出した状態において前記第１のシール部材（１２）が圧接されるシール受け部材（１４）が設けられている
ことを特徴とする断熱庫。
【請求項７】
請求項６において、
前記第１のシール部材（１２）と前記シール保持部材（１３）とは、軟質合成樹脂と硬質合成樹脂との２色成形による一体成形品により構成されている
ことを特徴とする断熱庫。
【請求項８】
請求項５において、
前記第２のシール部材（１５）は、前記他方の分割ケーシング（１Ｂ）の収納方向の前端に取り付けられ、該他方の分割ケーシング（１Ｂ）の収納時に前記一方の分割ケーシング（１Ａ）の内面に圧接されるように構成されている
ことを特徴とする断熱庫。
【請求項９】
請求項１において、
前記分割ケーシング（１Ａ，１Ｂ）の両側部には、前記他方の分割ケーシング（１Ｂ）のスライド時に、該他方の分割ケーシング（１Ｂ）をガイドするスライドガイド手段（Ａ）が設けられている
ことを特徴とする断熱庫。
【請求項１０】
請求項９において、
前記スライドガイド手段（Ａ）は、前記一方の分割ケーシング（１Ａ）の側面に突設されたガイドレール（１６）と、前記他方の分割ケーシング（１Ｂ）の側面に形成されて前記ガイドレール（１６）が嵌り込む凹溝（１７）とによって構成されている
ことを特徴とする断熱庫。
【請求項１１】
請求項１０において、
前記凹溝（１７）は、前記シール保持部材（１３）に一体に形成されていることを特徴とする断熱庫。
【請求項１２】
請求項１において、
前記キャスター（３Ａ，３Ｂ）は、前記分割ケーシング（１Ａ，１Ｂ）のスライド方向の両端部に設けられている
ことを特徴とする断熱庫。
【請求項１３】
請求項１において、
前記一方の分割ケーシング（１Ａ）の底部には、該一方の分割ケーシング（１Ａ）に他方の分割ケーシング（１Ｂ）を収納した状態において該他方の分割ケーシング（１Ｂ）のキャスター（３Ｂ）を収容する切欠部（２０）が形成され、
前記他方の分割ケーシング（１Ｂ）の底部には、一方の分割ケーシング（１Ａ）から他方の分割ケーシング（１Ｂ）を引き出した状態において前記切欠部（２０）を覆う蓋部材（２１）が設けられている
ことを特徴とする断熱庫。
【請求項１４】
請求項１３において、
前記蓋部材（２１）は、前記他方の分割ケーシング（１Ｂ）における底部のスライド方向の前端に回動自在に取り付けられている
ことを特徴とする断熱庫。
【請求項１５】
断熱構造のケーシング本体（１）と、該ケーシング本体（１）の一面に開閉自在に設けられた断熱構造の扉（２）とを備え、保管物の保冷又は保温が可能に構成された断熱庫であって、
前記ケーシング本体（１）は、一対の分割ケーシング（１Ａ，１Ｂ）により構成され、
前記各分割ケーシング（１Ａ，１Ｂ）は、保管物を収納する組立状態に互いに連結可能に且つ互いに分離可能に構成され、
前記両分割ケーシング（１Ａ，１Ｂ）は、一方の分割ケーシング（１Ａ）へ他方の分割ケーシング（１Ｂ）を反転して収納するように構成されている
ことを特徴とする断熱庫。
【請求項１６】
請求項１５において、
前記両分割ケーシング（１Ａ，１Ｂ）は、ケーシング本体（１）を上下に２分割して形成され、
前記両分割ケーシング（１Ａ，１Ｂ）は、一方の分割ケーシング（１Ａ）へ他方の分割ケーシング（１Ｂ）を上下に反転して収納するように構成されていることを特徴とする断熱庫。
【請求項１７】
請求項１５において、
前記両分割ケーシング（１Ａ，１Ｂ）は、ケーシング本体（１）を前後に２分割して形成され、
前記両分割ケーシング（１Ａ，１Ｂ）は、一方の分割ケーシング（１Ａ）へ他方の分割ケーシング（１Ｂ）を前後に反転して収納するように構成されていることを特徴とする断熱庫。
【請求項１８】
請求項１５において、
前記両分割ケーシング（１Ａ，１Ｂ）は、ケーシング本体（１）を平面から見て対角線上に２分割して形成され、
前記両分割ケーシング（１Ａ，１Ｂ）は、一方の分割ケーシング（１Ａ）へ他方の分割ケーシング（１Ｂ）を前後に反転して収納するように構成されていることを特徴とする断熱庫。
【請求項１９】
断熱構造のケーシング本体（１）と、該ケーシング本体（１）の一面に開閉自在に設けられた断熱構造の扉（２）とを備え、保管物の保冷又は保温が可能に構成された断熱庫であって、
前記ケーシング本体（１）は、一対の分割ケーシング（１Ａ，１Ｂ）により構成され、
前記各分割ケーシング（１Ａ，１Ｂ）は、保管物を収納する組立状態に互いに連結可能に且つ互いに分離可能に構成され、
前記少なくとも一方の分割ケーシング（１Ａ，１Ｂ）の側面は、奥行き方向の長さが伸び縮みするように形成されている
ことを特徴とする断熱庫。
【請求項２０】
請求項１９において、
前記一つの分割ケーシング（１Ｂ）の側面は、両分割ケーシング（１Ａ，１Ｂ）を分離した状態において、奥行き方向に複数段に折り畳み可能に形成されている
ことを特徴とする断熱庫。
【請求項２１】
請求項１９において、
前記各分割ケーシング（１Ａ，１Ｂ）の側面は、両分割ケーシング（１Ａ，１Ｂ）を分離した状態において、奥行き方向に２つ折り可能に形成され、
一方の分割ケーシング（１Ａ）の側面は、外側に２つ折り可能に形成され、他方の分割ケーシング（１Ｂ）の側面は、内側に２つ折り可能に形成され、
前記各分割ケーシング（１Ａ，１Ｂ）は、組立状態と分離状態とにおいて、一方の分割ケーシング（１Ａ）に他方の分割ケーシング（１Ｂ）を差し込み可能に構成されている
ことを特徴とする断熱庫。
【発明の詳細な説明】
技術分野
本願発明は、トラック等に積載して輸送される断熱庫に関するものである。背景技術
一般的な断熱庫の構造は、断熱構造の直方体形状のケーシング本体と、該ケーシング本体の一面に開閉自在に設けられた断熱構造の扉とからなり、保管物を保冷あるいは保温し得るように構成されている。
−解決課題−
ところで、上記の断熱庫は、我が国の慣習上の贈答シーズンである中元シーズン又は歳暮シーズンの繁忙期に合わせて購入される。一方、中間期（即ち、中元シーズンと歳暮シーズンとの間）においては、断熱庫の稼働率が低下し、余分の断熱庫を別の倉庫に保管しておく必要が生じる。
ところが、従来の断熱庫の場合、形状の変更が不可能な構造となっているため、倉庫に保管する際の床占有面積が大きいという問題があった。この結果、保管効率が悪いという不具合があった。
本願発明は、上記の点に鑑みてなされたもので、断熱庫の形状を変更可能とすることにより、使用時の収納容積を確保しつつ、保管時の床占有面積を低減させて、保管効率を向上させることを目的とするものである。
発明の開示
本発明は、上記課題を解決するために次の手段を講じている。
第１の発明は、断熱構造のケーシング本体１と、該ケーシング本体１の一面に開閉自在に設けられた断熱構造の扉２とを備え、保管物の保冷又は保温が可能に構成された断熱庫を対象としている。前記ケーシング本体１は、一対の分割ケーシング１Ａ，１Ｂにより構成されると共に、一方の分割ケーシング１Ａへ他方の分割ケーシング１Ｂをスライド収納するように構成されている。さらに、前記各分割ケーシング１Ａ，１Ｂの底部には、移動用のキャスター３Ａ，３Ｂが取り付けられている。
この第１の発明では、使用時において、分割ケーシング１Ａ，１Ｂを伸長スライドさせることによりケーシング本体１内の容積が最大となる。換言すれば、保管物の収納容積が最大となる。一方、不使用時においては、一方の分割ケーシング１Ａに他方の分割ケーシング１Ｂをスライド収納することによりケーシング本体１の床占有面積が最小となる。
したがって、中元シーズンや歳暮シーズンという繁忙期以外の中間期における保管効率を大きく向上させることができる。
また、一方の分割ケーシング１Ａに他方の分割ケーシング１Ｂを収納した状態で使用することも可能である。このような使用形態を選択した場合、輸送量が少ないときに使用しない断熱庫を可及的に少なくすることができる。換言すれば、保管する断熱庫を可及的に少なくすることができる。
第２の発明は、第１の発明において、前記ケーシング本体１が、一方の分割ケーシング１Ａに対する他方の分割ケーシング１Ｂを任意のスライド収納位置に位置決めするように構成されたものである。
この第２の発明では、必要に応じて一方の分割ケーシング１Ａへの他方の分割ケーシング１Ｂのスライド収納位置を決定することができる。この結果、使用状態の自由度が大きくなる。
第３の発明は、第１の発明において、前記分割ケーシング１Ａ，１Ｂおよび前記扉２が、合成樹脂製の内板９と外板１０との間に断熱材１１を充填して構成されたものである。
この第３の発明では、断熱庫の軽量化を図ることができる。したがって、輸送効率を大幅に向上させることができる。
第４の発明は、第１の発明において、前記分割ケーシング１Ａ，１Ｂの間に、一方の分割ケーシング１Ａから他方の分割ケーシング１Ｂを引き出した状態において、該分割ケーシング１Ａ，１Ｂの間の気密を保持する第１のシール部材１２が設けられたものである。
この第４の発明では、収納容積を最大として使用する場合におけるケーシング本体１内の気密性を確保することができる。この結果、現状程度の保冷性能あるいは保温性能を保持することができる。
第５の発明は、第１、第２、第３および第４の何れか１の発明において、前記分割ケーシング１Ａ，１Ｂの間に、一方の分割ケーシング１Ａ内に他方の分割ケーシング１Ｂを収納した状態において、該分割ケーシング１Ａ，１Ｂの間の気密を保持する第２のシール部材１５が設けられたものである。
この第５の発明では、床占有面積を最小とした場合（最小収納容積）において、ケーシング本体１内の気密性を確保することができる。この結果、最小収納容積で使用した場合の保冷性能あるいは保温性能を確保することができる。
第６の発明は、第４および第５の何れか１の発明において、前記第１のシール部材１２が、前記他方の分割ケーシング１Ｂの側面における収納方向の前端部に突設されたシール保持部材１３の背面側に取り付けられたものである。そして、前記一方の分割ケーシング１Ａにおけるスライド方向の後端部には、前記他方の分割ケーシング１Ｂを引き出した状態において前記第１のシール部材１２が圧接されるシール受け部材１４が設けられている。
この第６の発明では、簡単な構造によって、他方の分割ケーシング１Ｂが引き出された状態におけるケーシング本体１内の気密性を確保することができる。    第７の発明は、第６の発明において、前記第１のシール部材１２と前記シール保持部材１３とは、軟質合成樹脂と硬質合成樹脂との２色成形による一体成形品により構成されたものである。
この第７の発明では、部品点数の減少による組付工数および製造コストの低減を図ることができる。
第８の発明は、第５の発明において、前記第２のシール部材１５が、前記他方の分割ケーシング１Ｂの収納方向の前端に取り付けられ、該他方の分割ケーシング１Ｂの収納時に前記一方の分割ケーシング１Ａの内面に圧接されるように構成されたものである。
この第８の発明では、簡単な構造によって、他方の分割ケーシング１Ｂがスライド収納された状態におけるケーシング本体１内の気密性を確保することができる。
第９の発明は、第１〜第８の何れか１の発明において、前記分割ケーシング１Ａ，１Ｂの両側部に、前記他方の分割ケーシング１Ｂのスライド時に、該他方の分割ケーシング１Ｂをガイドするスライドガイド手段Ａが設けられたものである。
この第９の発明では、他方の分割ケーシング１Ｂの一方の分割ケーシング１Ａへのスライド収納あるいは他方の分割ケーシング１Ｂの一方の分割ケーシング１Ａからの引き出し操作を、スライドガイド手段Ａのガイド作用により円滑に行うことができる。
第１０の発明は、第９の発明において、前記スライドガイド手段Ａが、前記一方の分割ケーシング１Ａの側面に突設されたガイドレール１６と、前記他方の分割ケーシング１Ｂの側面に形成されて前記ガイドレール１６が嵌り込む凹溝１７とによって構成されたものである。
この第１０の発明では、スライドガイド手段Ａの構造を簡略化できる。
第１１の発明は、第１０の発明において、前記凹溝１７が、前記シール保持部材１３に一体に形成されたものである。
この第１１の発明では、部品点数の減少による組付工数および製造コストの低減を図ることができる。
第１２の発明は、第１〜第１１の何れか１の発明において、前記キャスター３Ａ，３Ｂが、前記分割ケーシング１Ａ，１Ｂのスライド方向の両端部に設けられたものである。
この第１２の発明では、収納時においても引き出し時においてもケーシング本体１の安定性を確保することができる。
第１３の発明は、第１〜第１２の何れか１の発明において、前記一方の分割ケーシング１Ａに他方の分割ケーシング１Ｂを収納した状態において該他方の分割ケーシング１Ｂのキャスター３Ｂを収容する切欠部２０が前記一方の分割ケーシング１Ａの底部に形成されたものである。前記他方の分割ケーシング１Ｂの底部には、一方の分割ケーシング１Ａから他方の分割ケーシング１Ｂを引き出した状態において前記切欠部２０を覆う蓋部材２１が設けられている。
この第１３の発明では、他方の分割ケーシング１Ｂのスライド収納時における収納度を最大とすることができる。換言すれば、床占有面積を最小とすることができる。さらに、他方の分割ケーシング１Ｂの引き出し時においても完全な底部構造を確保することができる。
第１４の発明は、第１３の発明において、前記蓋部材２１が、前記他方の分割ケーシング１Ｂにおける底部のスライド方向の前端に回動自在に取り付けられたものである。
この第１４の発明では、蓋部材２１の操作性が向上する。
第１５の発明は、断熱構造のケーシング本体１と、該ケーシング本体１の一面に開閉自在に設けられた断熱構造の扉２とを備え、保管物の保冷又は保温が可能に構成された断熱庫を対象としている。前記ケーシング本体１は、一対の分割ケーシング１Ａ，１Ｂにより構成されている。さらに、前記各分割ケーシング１Ａ，１Ｂは、保管物を収納する組立状態に互いに連結可能に且つ互いに分離可能に構成されている。加えて、前記両分割ケーシング１Ａ，１Ｂは、一方の分割ケーシング１Ａへ他方の分割ケーシング１Ｂを反転して収納するように構成されている。
この第１５の発明では、使用時において、分割ケーシング１Ａ，１Ｂを互いに連結することによりケーシング本体１内の容積が最大となる。一方、不使用時においては、一方の分割ケーシング１Ａに他方の分割ケーシング１Ｂを反転して収納することによりケーシング本体１の床占有面積が最小となる。
第１６の発明は、第１５の発明において、前記両分割ケーシング１Ａ，１Ｂがケーシング本体１を上下に２分割して形成されたものである。前記両分割ケーシング１Ａ，１Ｂは、一方の分割ケーシング１Ａへ他方の分割ケーシング１Ｂを上下に反転して収納するように構成されている。
この第１６の発明では、上半部の分割ケーシング１Ｂを反転して下半部の分割ケーシング１Ａに差し込んで収納する。
第１７の発明は、第１５の発明において、前記両分割ケーシング１Ａ，１Ｂがケーシング本体１を前後に２分割して形成されたものである。前記両分割ケーシング１Ａ，１Ｂは、一方の分割ケーシング１Ａへ他方の分割ケーシング１Ｂを前後に反転して収納するように構成されている。
この第１７の発明では、後半部の分割ケーシング１Ｂを反転して前半部の分割ケーシング１Ａに差し込んで収納する。
第１８の発明は、第１５の発明において、前記両分割ケーシング１Ａ，１Ｂがケーシング本体１を平面から見て対角線上に２分割して形成されたものである。前記両分割ケーシング１Ａ，１Ｂは、一方の分割ケーシング１Ａへ他方の分割ケーシング１Ｂを前後に反転して収納するように構成されている。
この第１８の発明では、背面側の分割ケーシング１Ｂを反転して前面側の分割ケーシング１Ａに差し込んで収納する。
第１９の発明は、断熱構造のケーシング本体１と、該ケーシング本体１の一面に開閉自在に設けられた断熱構造の扉２とを備え、保管物の保冷又は保温が可能に構成された断熱庫を対象としている。前記ケーシング本体１は、一対の分割ケーシング１Ａ，１Ｂにより構成されている。さらに、前記各分割ケーシング１Ａ，１Ｂは、保管物を収納する組立状態に互いに連結可能に且つ互いに分離可能に構成されている。加えて、前記少なくとも一方の分割ケーシング１Ａ，１Ｂの側面は、奥行き方向の長さが伸び縮みするように形成されている。
この第１９の発明では、使用時において、側面を伸ばした分割ケーシング１Ａ，１Ｂを互いに連結することによりケーシング本体１内の容積が最大となる。一方、不使用時においては、少なくとも一方の分割ケーシング１Ｂの側面を縮めることによりケーシング本体１の床占有面積が最小となる。
第２０の発明は、第１９の発明において、前記一つの分割ケーシング１Ｂの側面が、両分割ケーシング１Ａ，１Ｂを分離した状態において、奥行き方向に複数段に折り畳み可能に形成されたものである。
この第２０の発明では、１の分割ケーシング１Ｂの側面を複数段に折り畳んで収納する。
第２１の発明は、第１９の発明において、前記各分割ケーシング１Ａ，１Ｂの側面は、両分割ケーシング１Ａ，１Ｂを分離した状態において、奥行き方向に２つ折り可能に形成されたものである。そして、一方の分割ケーシング１Ａの側面は、外側に２つ折り可能に形成され、他方の分割ケーシング１Ｂの側面は、内側に２つ折り可能に形成されている。さらに、前記各分割ケーシング１Ａ，１Ｂは、組立状態と分離状態とにおいて、一方の分割ケーシング１Ａに他方の分割ケーシング１Ｂを差し込み可能に構成されている。
この第２１の発明では、両分割ケーシング１Ａ，１Ｂの側面を２つ折りにし、一方の分割ケーシング１Ａに他方の分割ケーシング１Ｂを差し込んで収納する。
発明を実施するための最良の形態
以下、添付の図面を参照して、本願発明の幾つかの好適な実施形態について詳述する。
−第１の実施形態−
図１ないし図１０には、本発明の第１実施形態にかかる断熱庫が示されている。
この断熱庫は、断熱構造のケーシング本体１と、該ケーシング本体１の一面に開閉自在に設けられた断熱構造の扉２とを備えている。この断熱庫は、ケーシング本体１内に保管物とともに蓄冷剤又は蓄温剤を収納して保管物を保冷又は保温し得るように構成されている。そして、断熱庫は、トラック等に積載して輸送される。
前記ケーシング本体１は、縦長直方体の箱形状であり、一対の分割ケーシング１Ａ，１Ｂにより構成されている。なお、以下、一対の分割ケーシング１Ａ，１Ｂは、収納側分割ケーシング１Ａおよび被収納側分割ケーシング１Ｂという。
前記被収納側分割ケーシング１Ｂは、収納側分割ケーシング１Ａにスライド収納されように構成されている。そして、前記各分割ケーシング１Ａ，１Ｂの底部には、キャスター３Ａ，３Ａ，３Ｂ，３Ｂがそれぞれ取り付けられている。なお、前記被収納側分割ケーシング１Ｂ側のキャスター３Ｂ，３Ｂは、収納側分割ケーシング１Ａ側のキャスター３Ａ，３Ａの内側に位置している（図１参照）。
前記収納側分割ケーシング１Ａの前面には、保管物を出し入れするための開口部４が形成されている。該開口部４は、ヒンジ５，５により開閉自在に枢支された扉２により開閉される。また、この扉２の閉止状態を保持するためのロック装置６は、前記開口部４における上下口縁と扉２の上下端部に設けられている。
また、前記収納側分割ケーシング１Ａの後端には、被収納側分割ケーシング１Ｂが出し入れされる開口７が形成されている。前記被収納側分割ケーシング１Ｂの前端には、該被収納側分割ケーシング１Ｂ内と前記収納側分割ケーシング１Ａ内とを連通させる開口８が形成されている。
また、前記収納側分割ケーシング１Ａおよび被収納側分割ケーシング１Ｂは、図８および図９に示すように、繊維強化プラスチック（以下、ＦＲＰという）製の内板９および外板１０の間に発泡ウレタン等からなる断熱材１１を充填してなる断熱構造に形成されている。なお、扉２も、図示していないが、同様の断熱構造に形成されている。このように形成すると、従来のステンレス製のものに比べて、断熱庫の軽量化を図ることができる。この結果、輸送効率を大幅に向上させることができる。
前記キャスター３Ａ，３Ａ，３Ｂ，３Ｂは、前記分割ケーシング１Ａ，１Ｂの底部においてスライド方向の両端部に位置して設けられている。換言すれば、前記キャスター３Ａ，３Ａ，３Ｂ，３Ｂは、収納側分割ケーシング１Ａの底部の前端部と被収納側分割ケーシング１Ｂの底部の後端部とに位置して設けられている。このようにすると、収納時においても引き出し時においてもケーシング本体１の安定性を確保することができる。
前記分割ケーシング１Ａ，１Ｂの間には、収納側分割ケーシング１Ａから被収納側分割ケーシング１Ｂが引き出された状態において、該分割ケーシング１Ａ，１Ｂの間の気密を保持する第１のシール部材１２が介設されている。該第１のシール部材１２は、図８および図９に示すように、前記被収納側分割ケーシング１Ｂの側面における収納方向の前端部（換言すれば、開口８の口縁外側）において、外板１０に一体突設された断面矩形形状の凸条からなるシール保持部材１３の背面側に取り付けられている。
また、前記収納側分割ケーシング１Ａにおけるスライド方向の後端部（換言すれば、開口７の口縁）には、前記被収納側分割ケーシング１３が引き出された状態において、前記シール部材１２が圧接される板形状のシール受け部材１４が設けられている。なお、本実施形態においては、前記シール保持部材１３は、被収納側分割ケーシング１Ｂの開口８の口縁外側において、両側面および上面に亙って形成されている。一方、前記シール受け部材１４は、収納側分割ケーシング１Ａの開口７の口縁において、両側および上側に亙って形成されている。
したがって、第１のシール部材１２は、収納側分割ケーシング１Ａから被収納側分割ケーシング１Ｂを引き出した状態において、収納側分割ケーシング１Ａと被収納側分割ケーシング１Ｂとの両側および上側をシールする。このようにした理由は、後に詳述するように、被収納側分割ケーシング１Ｂを収納側分割ケーシング１Ａ内にスライド収納した状態において、被収納側分割ケーシング１Ｂ側のキャスター３Ｂ，３Ｂを収納側分割ケーシング１Ａの底部に形成された切欠部２０に収納し得る構成を取りたいからである。
このようにすると、簡単な構造によって、収納容積を最大として使用する場合（換言すれば、被収納側分割ケーシング１Ｂが引き出された状態に）おけるケーシング本体１内の気密性を確保することができる。したがって、現状程度の保冷性能あるいは保温性能を保持することができる。この場合において、前記第１のシール部材１２と前記シール保持部材１３とを、軟質合成樹脂と硬質合成樹脂との２色成形による一体成形品により構成すれば、部品点数の減少による組付工数および製造コストの低減を図ることができる。
また、前記分割ケーシング１Ａ，１Ｂ間には、収納側分割ケーシング１Ａ内に被収納側分割ケーシング１Ｂがスライド収納された状態において、該分割ケーシング１Ａ，１Ｂ間の気密を保持する第２のシール部材１５が介設されている。該第２のシール部材１５は、前記被収納側分割ケーシング１Ｂのスライド収納方向前端（換言すれば、開口８の口縁）に取り付けられている。前記第２のシール部材１５は、被収納側分割ケーシング１Ｂのスライド収納時に前記収納側分割ケーシング１Ａの内面（具体的には、扉２用の開口部４の口縁）に圧接される構成とされている。なお、本実施形態においては、前記第２のシール部材１５は、被収納側分割ケーシング１Ｂの開口７の口縁において、両側部および上部に亙って形成されている。
したがって、前記第２のシール部材１５は、収納側分割ケーシング１Ａ内に被収納側分割ケーシング１Ｂをスライド収納させた状態において、収納側分割ケーシング１Ａと被収納側分割ケーシング１Ｂとの両側部および上部をシールする。このようにした理由は、後に詳述するように、被収納側分割ケーシング１Ｂを収納側分割ケーシング１Ａ内にスライド収納した状態において、被収納側分割ケーシング１Ｂ側のキャスター３Ｂ，３Ｂを収納側分割ケーシング１Ａの底部に形成された切欠部２０に収納し得る構成を取りたいからである。
このようにすると、簡単な構造によって、収納側分割ケーシング１Ａ内に被収納側分割ケーシング１Ｂを収納して床占有面積を最小とした場合（換言すれば、収納容積を最小とした場合）におけるケーシング本体１内の気密性を確保することができる。この結果、最小収納容積で使用した場合の保冷性能あるいは保温性能を確保することができる。
前記分割ケーシング１Ａ，１Ｂの両側部には、被収納側分割ケーシング１Ｂのスライド操作時において該被収納側分割ケーシング１Ｂをガイドするスライドガイド手段Ａが設けられている。該スライドガイド手段Ａは、前記収納側分割ケーシング１Ａの側面にスライド方向に突設されたガイドレール１６と、前記被収納側分割ケーシング１Ｂの側面に形成されて前記ガイドレール１６が遊嵌される凹溝１７とによって構成されている。なお、本実施形態において、凹溝１７は、図１０に示すように、前記シール保持部材１３に形成された切欠凹部１８に対してネジ２５により固定されたスライドガイドサポート１９に形成されている。
このようにすると、被収納側分割ケーシング１Ｂの収納側分割ケーシング１Ａへのスライド収納あるいは被収納側分割ケーシング１Ｂの収納側分割ケーシング１Ａからの引き出し操作を、簡単な構造のスライドガイド手段Ａのガイド作用により円滑に行うことができる。なお、スライドガイド手段Ａは、被収納側分割ケーシング１Ｂのスライド移動を安定させるべく、ケーシング本体１の上部および下部に二つ設けられている。
ところで、図１１に示すように、前記凹溝１７を、前記シール保持部材１３に一体に形成することもできる。この場合、部品点数の減少による組付工数および製造コストの低減を図ることができる。
さらに、前記収納側分割ケーシング１Ａの底部には、該収納側分割ケーシング１Ａに被収納側分割ケーシング１Ｂがスライド収納された状態において、被収納側分割ケーシング１Ｂ側のキャスター３Ｂ，３Ｂを収容する切欠部２０が形成されている。一方、前記被収納側分割ケーシング１Ｂの底部には、前記収納側分割ケーシング１Ａから被収納側分割ケーシング１Ｂが引き出された状態において、前記切欠部２０を覆う断熱構造の蓋部材２１が設けられている。
該蓋部材２１は、前記被収納側分割ケーシング１Ｂにおける底部のスライド方向前端（換言すれば、開口８の下端口縁）に対してヒンジ２２を介して弧回動自在に取り付けられている。
そして、前記切欠部２０の口縁上面には、前記蓋部材２１によって切欠部２０が覆われた状態において、気密性を保持するための第１のシールパッキン２３が貼設されている。また、前記蓋部材２１のヒンジ取付側端面には、該蓋部材２１によって切欠部２０が覆われた状態において気密性を保持するための第２のシールパッキン２４が貼設されている。
このようにすると、被収納側分割ケーシング１Ｂのスライド収納時には、被収納側分割ケーシング１Ｂ側のキャスター３Ｂ，３Ｂが切欠部２０に収納されるため（図５参照）、収納度を最大とする（換言すれば、床占有面積を最小とする）ことができる。その上、被収納側分割ケーシング１Ｂの引き出し時においても、切欠部２０が蓋部材２１により気密性を保持した状態で閉塞され（図４参照）、完全な底部構造を確保することができる。しかも、蓋部材２１の開閉操作のみでよいこととなり、操作性が向上する。
上記のように構成された本実施形態にかかる断熱庫においては、次のような作用効果が得られる。
使用時においては、分割ケーシング１Ａ，１Ｂを伸長スライドさせることによりケーシング本体１内の容積が最大となる。換言すれば、保管物の収納容積が最大となる。一方、不使用時においては、収納側分割ケーシング１Ａに被収納側分割ケーシング１Ｂをスライド収納することによりケーシング本体１の床占有面積が最小となる。したがって、中元シーズンや歳暮シーズンという繁忙期以外の中間期における保管効率を大きく向上させることができる。
また、収納側分割ケーシング１Ａ内に被収納側分割ケーシング１Ｂをスライド収納した状態で使用することも可能である。このような使用形態を選択した場合、輸送量が少ないときに使用しない断熱庫を可及的に少なくすることができる。換言すれば、保管する断熱庫を可及的に少なくすることができる。
−第２実施形態−
図１２には、本発明の第２実施形態にかかる断熱庫が示されている。
この場合、収納側分割ケーシング１Ａの底部には、第１実施形態において形成されていた切欠部２０は形成されていない。したがって、収納側分割ケーシング１Ａ内に被収納側分割ケーシング１Ｂをスライド収納した状態においては、被収納側分割ケーシング１Ｂ側のキャスター３Ｂ，３Ｂは収納側分割ケーシング１Ａの開口７の口縁に当接されることとなる。
また、本実施形態においては、シール保持部材１３、第１のシール部材１２およびシール受け部材１４は、分割ケーシング１Ａ，１Ｂ間の全周に亙って形成されている。このようにすると、収納側分割ケーシング１Ａ内への被収納側分割ケーシング１Ｂの収納度（換言すれば、床占有面積の縮小度）は小さくなる。しかし、第１の実施形態におけるような複雑な構造（即ち、切欠部および蓋部材の形成）を取ることなく、収納側分割ケーシング１Ａから被収納側分割ケーシング１Ｂを引き出した状態におけるケーシング本体１内の気密性を確保することができる。その他の構成および作用効果は、第１実施形態と同様なので説明を省略する。
−第３実施形態−
次に、本発明の第３実施形態について説明する。
本実施形態は、図１３〜図１６に示すように、ケーシング本体１を上下に２分割して一対の分割ケーシング１Ａ，１Ｂを形成したものである。
つまり、前記各分割ケーシング１Ａ，１Ｂは、保管物を収納する組立状態に互いに連結可能に且つ互いに分離可能に構成されている。さらに、前記両分割ケーシング１Ａ，１Ｂは、一方の分割ケーシング１Ａへ他方の分割ケーシング１Ｂを反転して収納するように構成されている。
前記ケーシング本体１は、上下方向の中央部が前後左右に最も膨出した略１０面体に形成されている。そして、前記ケーシング本体１は、上下方向の中央部で２つに分割され、収納側分割ケーシング１Ａと被収納側分割ケーシング１Ｂとが形成されている。
前記収納側分割ケーシング１Ａは、ケーシング本体１の下半部を構成し、前記被収納側分割ケーシング１Ｂは、ケーシング本体１の上半部を構成している。前記収納側分割ケーシング１Ａは、ほぼ逆四角錐台に形成され、上方にいくに従って広がる形状に形成されている。一方、前記被収納側分割ケーシング１Ｂは、ほぼ四角錐台に形成され、上方にいくに従って狭まる形状に形成されている。
前記収納側分割ケーシング１Ａと被収納側分割ケーシング１Ｂとは、組立状態において、前記収納側分割ケーシング１Ａの上端面と被収納側分割ケーシング１Ｂの下端面とを突き合わせて一体化される。
また、前記被収納側分割ケーシング１Ｂは、上下に反転することによって収納側分割ケーシング１Ａに収納されるように構成されている。
なお、前記ケーシング本体１の側面には、組立状態において、前記収納側分割ケーシング１Ａと被収納側分割ケーシング１Ｂとを固定する固定部材３０が設けられている。また、前記収納側分割ケーシング１Ａの上端面と被収納側分割ケーシング１Ｂの下端面との間には、図示しないが、組立時のシール部材が設けられている。
また、前記収納側分割ケーシング１Ａの底部には、キャスター３Ａ，３Ｂが設けられている。さらに、扉２も、上下に分割されている。そして、前記扉２の取っ手部２ａは、収納側分割ケーシング１Ａにおいて、上方に突出している。そして、前記被収納側分割ケーシング１Ｂには、取っ手部２ａに対応した凹部３１が形成されている。
次に、前記断熱庫の収納動作について説明する。
先ず、図１３に示すように、前記収納側分割ケーシング１Ａと被収納側分割ケーシング１Ｂとを組み立てた状態において、固定部材３０を解除する。その後、図１４に示すように、前記被収納側分割ケーシング１Ｂを持ち上げ、収納側分割ケーシング１Ａと分離する。続いて、図１５に示すように、前記被収納側分割ケーシング１Ｂを上下に反転させる。最後に、図１６に示すように、前記反転させた被収納側分割ケーシング１Ｂを収納側分割ケーシング１Ａに差し込み、収納状態とする。
また、組み立てる際は、上述した収納動作と逆に行えばよい。その他、断熱構造などの構成、作用および効果は、前記第１実施形態と同じである。
−第４実施形態−
次に、本発明の第４実施形態について説明する。
本実施形態は、図１７〜図２０に示すように、ケーシング本体１を前後に２分割して一対の分割ケーシング１Ａ，１Ｂを形成したものである。
つまり、前記各分割ケーシング１Ａ，１Ｂは、保管物を収納する組立状態に互いに連結可能に且つ互いに分離可能に構成されている。さらに、前記両分割ケーシング１Ａ，１Ｂは、一方の分割ケーシング１Ａへ他方の分割ケーシング１Ｂを反転して収納するように構成されている。
前記ケーシング本体１は、前後方向の中央部が左右および上方に最も膨出した略１０面体に形成されている。そして、前記ケーシング本体１は、前後方向の中央部で２つに分割され、収納側分割ケーシング１Ａと被収納側分割ケーシング１Ｂとが形成されている。
前記収納側分割ケーシング１Ａは、ケーシング本体１の前半部を構成し、前記被収納側分割ケーシング１Ｂは、ケーシング本体１の後半部を構成している。前記収納側分割ケーシング１Ａは、ほぼ逆四角錐台に形成され、後方にいくに従って広がる形状に形成されている。一方、前記被収納側分割ケーシング１Ｂは、ほぼ四角錐台に形成され、後方にいくに従って狭まる形状に形成されている。
前記収納側分割ケーシング１Ａと被収納側分割ケーシング１Ｂとは、保管物を収納する組立状態において、前記収納側分割ケーシング１Ａの後端面と被収納側分割ケーシング１Ｂの前端面とを突き合わせて一体化される。
また、前記被収納側分割ケーシング１Ｂは、前後に反転することによって収納側分割ケーシング１Ａに収納されるように構成されている。
なお、前記ケーシング本体１の側面には、組立状態において、前記収納側分割ケーシング１Ａと被収納側分割ケーシング１Ｂとを固定する固定部材３０が設けられている。また、前記収納側分割ケーシング１Ａの後端面と被収納側分割ケーシング１Ｂの前端面との間には、図示しないが、組立時のシール部材が設けられている。
また、前記収納側分割ケーシング１Ａと被収納側分割ケーシング１Ｂとの底部には、それぞれ４つのキャスター３Ａ，３Ｂが設けられている。また、図示しないが、前記収納側分割ケーシング１Ａの床板は、扉２に沿う姿勢で折り畳めるように形成されている。
次に、前記断熱庫の収納動作について説明する。
先ず、図１７に示すように、前記収納側分割ケーシング１Ａと被収納側分割ケーシング１Ｂとを組み立てた状態において、固定部材３０を解除する。その後、図１８に示すように、前記被収納側分割ケーシング１Ｂを後方に移動させ、収納側分割ケーシング１Ａと分離する。続いて、図１９に示すように、前記被収納側分割ケーシング１Ｂを前後に反転させる。最後に、図２０に示すように、前記反転させた被収納側分割ケーシング１Ｂを収納側分割ケーシング１Ａに差し込み、収納状態とする。
また、組み立てる際は、上述した収納動作と逆に行えばよい。その他、断熱構造などの構成、作用および効果は、前記第１実施形態と同じである。
−第５実施形態−
次に、本発明の第５実施形態について説明する。
本実施形態は、図２１〜図２３に示すように、ケーシング本体１を平面から見て対角線上に２分割して一対の分割ケーシング１Ａ，１Ｂを形成したものである。
つまり、前記各分割ケーシング１Ａ，１Ｂは、保管物を収納する組立状態に互いに連結可能に且つ互いに分離可能に構成されている。さらに、前記両分割ケーシング１Ａ，１Ｂは、一方の分割ケーシング１Ａへ他方の分割ケーシング１Ｂを反転して収納するように構成されている。
前記ケーシング本体１は、縦長の矩形体に形成されている。そして、前記ケーシング本体１は、平面上の１つの隅角部から対角線上の他の隅角部に亘って２つに分割され、収納側分割ケーシング１Ａと被収納側分割ケーシング１Ｂとが形成されている。
前記収納側分割ケーシング１Ａは、ケーシング本体１の前側部分を構成し、前記被収納側分割ケーシング１Ｂは、ケーシング本体１の後側部分を構成している。前記収納側分割ケーシング１Ａおよび被収納側分割ケーシング１Ｂは、ほぼ三角柱状に形成され、斜面が開放された形状に形成されている。
前記収納側分割ケーシング１Ａと被収納側分割ケーシング１Ｂとは、保管物を収納する組立状態において、前記収納側分割ケーシング１Ａと被収納側分割ケーシング１Ｂとの斜面部分の端面を互いに突き合わせて一体化される。
また、前記被収納側分割ケーシング１Ｂは、前後に反転することによって収納側分割ケーシング１Ａに収納されるように構成されている。
なお、前記ケーシング本体１の側面には、図示しないが、組立状態において、前記収納側分割ケーシング１Ａと被収納側分割ケーシング１Ｂとを固定する固定部材が設けられている。また、前記収納側分割ケーシング１Ａの斜面部分の端面と被収納側分割ケーシング１Ｂの斜面部分の端面との間には、図示しないが、組立時のシール部材が設けられている。
また、前記収納側分割ケーシング１Ａと被収納側分割ケーシング１Ｂとの底部には、それぞれ３つのキャスター３Ａ，３Ｂが設けられている。また、前記ケーシング本体１の天板４０は、収納側分割ケーシング１Ａと被収納側分割ケーシング１Ｂとに対応して対角線上に２つに折り畳めるように形成されている。
つまり、前記収納側分割ケーシング１Ａの天井部分は、固定された三角板状の固定天板４１に形成されている。そして、この固定天板４１の斜辺に連続して三角板状の回動天板４２がヒンジ４３によって動自在に取り付けられている。該回動天板４２は、組立時において、被収納側分割ケーシング１Ｂの天井部分を形成するように構成されている。
また、前記被収納側分割ケーシング１Ｂの床部分には、床板４４が側面の内側に沿う姿勢で折り畳めるように形成されている。つまり、前記床板４４は、収納側分割ケーシング１Ａと被収納側分割ケーシング１Ｂとの床を形成するように矩形板状に形成され、被収納側分割ケーシング１Ｂの内側に折り畳めるように形成されている。
次に、前記断熱庫の収納動作について説明する。
先ず、図２１に示すように、前記収納側分割ケーシング１Ａと被収納側分割ケーシング１Ｂとを組み立てた状態において、固定を解除する。その後、図２２に示すように、回動天板４２を回動して固定天板４１に重ねて折り畳む。そして、前記被収納側分割ケーシング１Ｂを斜め後方に移動させ、収納側分割ケーシング１Ａと分離する。続いて、図２３に示すように、前記被収納側分割ケーシング１Ｂを前後に反転させる。最後に、床板４４を被収納側分割ケーシング１Ｂの内側に折り畳むとともに、前記反転させた被収納側分割ケーシング１Ｂを収納側分割ケーシング１Ａに差し込み、収納状態とする。
また、組み立てる際は、上述した収納動作と逆に行えばよい。その他、断熱構造などの構成、作用および効果は、前記第１実施形態と同じである。
−第６実施形態−
次に、本発明の第６実施形態について説明する。
本実施形態は、図２４〜図２７に示すように、ケーシング本体１を前後に２分割して一対の分割ケーシング１Ａ，１Ｂを形成するとともに、側板５０を蛇腹状に折り畳み可能に構成したものである。
つまり、前記各分割ケーシング１Ａ，１Ｂは、保管物を収納する組立状態に互いに連結可能に且つ互いに分離可能に構成されている。さらに、前記少なくとも一方の分割ケーシング１Ａ，１Ｂの側面は、奥行き方向の長さが伸び縮みするように形成されている。
前記ケーシング本体１は、縦長の矩形体に形成されている。そして、前記ケーシング本体１は、前後方向に２つに分割され、前側分割ケーシング１Ａと後側分割ケーシング１Ｂとが形成されている。前記前側分割ケーシング１Ａは、ケーシング本体１の前半部を構成し、前記後側分割ケーシング１Ｂは、ケーシング本体１の後半部を構成している。
なお、前記前側分割ケーシング１Ａは、第１実施形態の収納側分割ケーシング１Ａに対応し、前記後側分割ケーシング１Ｂは、第１実施形態の被収納側分割ケーシング１Ｂに対応している。
前記前側分割ケーシング１Ａは、左右の側板を備えておらず、左右が開放されている。前記前側分割ケーシング１Ａの上部には、天板４０が設けられている。該天板４０は、前記前側分割ケーシング１Ａに固定された矩形板状の固定天板４１と、該固定天板４１の一辺にヒンジ４３によって回動自在に取り付けられた矩形板状の回動天板４２とより構成されている。該回動天板４２は、組立時において、後側分割ケーシング１Ｂの天井部分を形成するように構成されている。
前記前側分割ケーシング１Ａの下部には、床板４４が扉２の内側に沿う姿勢で折り畳めるように形成されている。つまり、前記床板４４は、前側分割ケーシング１Ａと後側分割ケーシング１Ｂとの床を形成するように矩形板状に形成され、前側分割ケーシング１Ａの内側に折り畳めるように形成されている。なお、前記前側分割ケーシング１Ａの前端底部には、２つのキャスター３Ａが設けられている。
一方、前記後側分割ケーシング１Ｂは、背面板６０の両側に側板５０が取り付けられて構成されている。前記背面板６０の下端には、２つのキャスター３Ｂが設けられている。
前記側板５０は、２枚の主側板５１，５２と１枚の連結用の副側板５３とより構成されている。一方の主側板５１における後端面の隅部は、背面板６０に回動自在に連結されている。また、前記一方の主側板５１における前端面の隅部と副側板５３における後端面の隅部とが回動自在に連結されている。さらに、前記他方の主側板５１における後端面の隅部と副側板５３における前端面の隅部とが回動自在に連結されている。
前記主側板５１，５２と副側板５３とは、展開状態において、面一となり、折り畳み状態において、後側分割ケーシング１Ｂの内側に背面板６０に沿って収納される。
なお、前記天板４０および床板４４には、側板５０の上下両端部が嵌り込む連結溝４５が形成されている。前記後側分割ケーシング１Ｂの背面板６０の上端面には、突起６１が形成されている。そして、前記回動天板４２の下面には、突起６１が嵌り込む連結穴４６が形成されている。
また、前記ケーシング本体１には、図示しないが、組立状態および収納状態において、前記前側分割ケーシング１Ａと後側分割ケーシング１Ｂとを固定する固定部材が設けられている。
次に、前記断熱庫の収納動作について説明する。
先ず、図２４に示すように、前記前側分割ケーシング１Ａと後側分割ケーシング１Ｂとを組み立てた状態において、固定を解除する。その後、図２５に示すように、回動天板４２を回動して固定天板４１に重ねて折り畳む。そして、図２６に示すように、前記後側分割ケーシング１Ｂを後方に移動させ、側板５０を前側分割ケーシング１Ａの連結溝４５より抜き出し、前側分割ケーシング１Ａと分離する。続いて、側板５０を後側分割ケーシング１Ｂの内側に折り畳む。最後に、図２７に示すように、側板５０を折り畳んだ後側分割ケーシング１Ｂと、床板４４を内側に折り畳んだ前側分割ケーシング１Ａを前後に重ね合わせ固定し、収納状態とする。
また、組み立てる際は、上述した収納動作と逆に行えばよい。その他、断熱構造などの構成、作用および効果は、前記第１実施形態と同じである。
−変形例−
図２８および図２９は、側板５０の変形例を示している。なお、図２８および図２９は、一方の主側板５１と副側板５３とを例示している。したがって、他方の主側板５２と副側板５３も同様である。
前記主側板５１と副側板５３は、ＦＲＰの内板７１と外板７２を備えている。該内板７１と外板７２の各対向面には、樹脂膜７３が形成され、該樹脂膜７３の間が空気層７４に形成されている。前記主側板５１と副側板５３との間には、連結部材７５が設けられている。
前記連結部材７５は、主側板５１の端面と副側板５３の端面とに取り付けられた接着片７６と、該両接着片７６を繋ぐ連結片７７とより構成されている。前記接着片７６と連結片７７とは、軟質の樹脂で形成されている。
したがって、組立時においては、図２８に示すように、前記空気層７４に空気を充填する。この空気の充填により内板７１と外板７２とが離れるとともに、前記接着片７６が平板状に緊張する。そして、前記主側板５１の端面と副側板５３の端面とが互いに近接して連続する。
一方、収納状態においては、図２９に示すように、前記空気層７４の空気を排気する。この排気によって内板７１と外板７２とを重ね合わせると、前記接着片７６が変形し、前記主側板５１の端面と副側板５３の端面とが離れることになる。この結果、前記接着片７６と連結片７７とによって主側板５１と副側板５３とが折り畳まれる。
また、前記組立時において、図示しないが、接着片７６の間の間隙７８にパッキンが位置するように、該パッキンを接着片７６に取り付けてもよい。
−第７実施形態−
次に、本発明の第７実施形態について説明する。
本実施形態は、図３０〜図３５に示すように、ケーシング本体１を前後に２分割して一対の分割ケーシング１Ａ，１Ｂを形成するとともに、側板５０を２つ折り可能に構成したものである。
つまり、前記各分割ケーシング１Ａ，１Ｂは、保管物を収納する組立状態に互いに連結可能に且つ互いに分離可能に構成されている。さらに、前記少なくとも一方の分割ケーシング１Ａ，１Ｂの側面は、奥行き方向の長さが伸び縮みするように形成されている。
前記ケーシング本体１は、縦長の矩形体に形成されている。前記ケーシング本体１は、前後方向に２つに分割され、収納側分割ケーシング１Ａと被収納側分割ケーシング１Ｂとが形成されている。前記収納側分割ケーシング１Ａは、ケーシング本体１の前半部を構成し、前記被収納側分割ケーシング１Ｂは、ケーシング本体１の後半部を構成している。
前記収納側分割ケーシング１Ａの側部には、側板５０が設けられている。該側板５０は、前記収納側分割ケーシング１Ａに固定された矩形板状の固定側板５４と、該固定側板５４の一辺にヒンジ５５によって外側に折り畳み可能に且つ回動自在に取り付けられた矩形板状の回動側板５６とより構成されている。該回動側板５６は、保管物を収納する組立時において、被収納側分割ケーシング１Ｂの側面部分を形成するように構成されている。
前記収納側分割ケーシング１Ａの上部には、天板４０が設けられている。該天板４０は、前記収納側分割ケーシング１Ａに固定された矩形板状の固定天板４１と、該固定天板４１の一辺にヒンジ４３によって回動自在に取り付けられた矩形板状の回動天板４２とより構成されている。該回動天板４２は、組立時において、被収納側分割ケーシング１Ｂの天井部分を形成するように構成されている。
なお、前記収納側分割ケーシング１Ａの下部は、開放され、床板が設けられていない。
一方、前記被収納側分割ケーシング１Ｂの側部には、側板５０が設けられている。該側板５０は、前記被収納側分割ケーシング１Ｂに固定された矩形板状の固定側板５４と、該固定側板５４の一辺にヒンジ５５によって内側に折り畳み可能に且つ回動自在に取り付けられた矩形板状の回動側板５６とより構成されている。該回動側板５６は、組立時において、収納側分割ケーシング１Ａの側面部分を形成するように構成されている。
また、前記被収納側分割ケーシング１Ｂの固定側板５４は、収納側分割ケーシング１Ａの固定側板５４の厚さ分だけ内側に偏倚している。さらに、前記収納側分割ケーシング１Ａにおける固定側板５４の内面には、収納時に被収納側分割ケーシング１Ｂを案内するガイド突起５７が形成されている。そして、前記被収納側分割ケーシング１Ｂにおける固定側板５４の外面には、ガイド突起５７が嵌り込み、収納時に被収納側分割ケーシング１Ｂを案内するガイド溝５８が形成されている。
前記被収納側分割ケーシング１Ｂの下部には、床板４４が扉２の内側に沿う姿勢で折り畳めるように形成されている。つまり、前記床板４４は、収納側分割ケーシング１Ａと被収納側分割ケーシング１Ｂとの床を形成するように矩形板状に形成され、被収納側分割ケーシング１Ｂの内側に折り畳めるように形成されている。
なお、前記収納側分割ケーシング１Ａの上部は、開放されている。また、前記収納側分割ケーシング１Ａと被収納側分割ケーシング１Ｂとの底部には、４つづつキャスター３Ａ，３Ｂが設けられている。
また、前記収納側分割ケーシング１Ａと被収納側分割ケーシング１Ｂとは、それぞれ回動側板５６を展開した状態で収納側分割ケーシング１Ａに被収納側分割ケーシング１Ｂを差し込んで組立状態に形成される。一方、前記収納側分割ケーシング１Ａと被収納側分割ケーシング１Ｂとは、それぞれ回動側板５６を折り畳んだ状態で収納側分割ケーシング１Ａに被収納側分割ケーシング１Ｂを差し込んで収納状態に形成される。
また、前記ケーシング本体１には、図示しないが、組立状態および収納状態において、前記収納側分割ケーシング１Ａと被収納側分割ケーシング１Ｂとを固定する固定部材が設けられている。
次に、前記断熱庫の収納動作について説明する。
先ず、図３３および図３３に示すように、前記収納側分割ケーシング１Ａと被収納側分割ケーシング１Ｂとを組み立てた状態において、固定を解除する。そして、前記収納側分割ケーシング１Ａの回動側板５６を外側に回動して固定側板５４に重なるように折り畳む。さらに、回動天板４２を回動して固定天板４１に重ねて折り畳む。
その後、図３１および図３４に示すように、被収納側分割ケーシング１Ｂを後方に移動させ、側板５０を収納側分割ケーシング１Ａの側板５０より抜き出し、収納側分割ケーシング１Ａと分離する。そして、前記被収納側分割ケーシング１Ｂの回動側板５６を内側に回動して固定側板５４に重なるように折り畳む。さらに、床板４４を回動して内側に折り畳む。最後に、図３２および図３５に示すように、側板５０および床板４４を折り畳んだ被収納側分割ケーシング１Ｂを収納側分割ケーシング１Ａを差し込み、収納状態とする。
また、組み立てる際は、上述した収納動作と逆に行えばよい。その他、断熱構造などの構成、作用および効果は、前記第１実施形態と同じである。
−その他の実施形態−
なお、前記各実施形態においては、分割ケーシング１Ａ，１Ｂにおける一方の分割ケーシング１Ａへの他方の分割ケーシング１Ｂのスライド収納位置を最大収納位置までとしているが、一方の分割ケーシング１Ａへの他方の分割ケーシング１Ｂのスライド収納位置を、任意の位置にて位置決めできるように構成することもできる。その場合には、必要に応じて一方の分割ケーシング１Ａへの他方の分割ケーシング１Ｂのスライド収納位置を決定することができることとなり、使用状態の自由度が大きくなる。
−発明の効果−
第１の発明は、断熱構造のケーシング本体１と、該ケーシング本体１の一面に開閉自在に設けられた断熱構造の扉２とを備え、保管物を保冷あるいは保温し得るように構成された断熱庫において、前記ケーシング本体１を、一方側に他方側がスライド収納されるとともにそれぞれの底部に移動用のキャスター３Ａ，３Ｂが取り付けられた一対の分割ケーシング１Ａ，１Ｂにより構成している。
したがって、この第１の発明によれば、使用時において、分割ケーシング１Ａ，１Ｂを伸長スライドさせることによりケーシング本体１の容積（保管物の収納容積）を最大とすることができる。一方、不使用時においては、一方の分割ケーシング１Ａに他方の分割ケーシング１Ｂをスライド収納することによりケーシング本体１の床占有面積が最小とすることができる。
この結果、中元シーズンや歳暮シーズンという繁忙期以外の中間期における保管効率を大きく向上させることができる。
また、一方の分割ケーシング１Ａに他方の分割ケーシング１Ｂをスライド収納した状態で使用することもできる。このような使用形態を選択した場合、輸送量が少ないときに使用しない断熱庫を可及的に少なくすることができる。換言すれば、保管する断熱庫を可及的に少なくすることができる。
第２の発明は、一方の分割ケーシング１Ａへの他方の分割ケーシング１Ｂのスライド収納位置を任意に位置決めできるように構成している。
したがって、この第２の発明によれば、必要に応じて一方の分割ケーシング１Ａへの他方の分割ケーシング１Ｂのスライド収納位置を決定することができる。この結果、使用状態の自由度が大きくなる。
第３の発明は、前記分割ケーシング１Ａ，１Ｂおよび前記扉２を、合成樹脂製の内板９と外板１０との間に断熱材１１を充填して構成している。
したがって、この第３の発明によれば、断熱庫の軽量化を図ることができる。この結果、輸送効率を大幅に向上させることができる。
第４の発明は、前記分割ケーシング１Ａ，１Ｂの間に、一方の分割ケーシング１Ａから他方の分割ケーシング１Ｂが引き出された状態において、分割ケーシング１Ａ，１Ｂの間の気密を保持する第１のシール部材１２を設けている。
したがって、この第４の発明によれば、収納容積を最大として使用する場合におけるケーシング本体１内の気密性を確保することができる。この結果、現状程度の保冷性能あるいは保温性能を保持することができる。
第５の発明は、前記分割ケーシング１Ａ，１Ｂの間に、一方の分割ケーシング１Ａ内に他方の分割ケーシング１Ｂがスライド収納された状態において、分割ケーシング１Ａ，１Ｂの間の気密を保持する第２のシール部材１５を設けている。
したがって、この第５の発明によれば、床占有面積を最小とした場合（最小収納容積）、ケーシング本体１内の気密性を確保することができる。この結果、最小収納容積で使用した場合の保冷性能あるいは保温性能を確保することができる。
第６の発明は、前記第１のシール部材１２を、前記他方の分割ケーシング１Ｂの側面における収納方向の前端部に突設されたシール保持部材１３の背面側に取り付けている。さらに、前記一方の分割ケーシング１Ａにおけるスライド方向の後端部には、前記他方の分割ケーシング１Ｂが引き出された状態において、前記第１のシール部材１２が圧接されるシール受け部材１４を設けている。
したがって、この第６の発明によれば、簡単な構造によって、他方の分割ケーシング１Ｂが引き出された状態におけるケーシング本体１内の気密性を確保することができる。
第７の発明は、前記第１のシール部材１２と前記シール保持部材１３とを、軟質合成樹脂と硬質合成樹脂との２色成形による一体成形品により構成している。
したがって、この第７の発明によれば、部品点数の減少による組付工数および製造コストの低減を図ることができる。
第８の発明は、前記第２のシール部材１５を、前記他方の分割ケーシング１Ｂのスライド収納方向の前端に取り付け、該他方の分割ケーシング１Ｂのスライド収納時に前記一方の分割ケーシング１Ａの内面に圧接されるように構成している。
したがって、この第８の発明によれば、簡単な構造によって、他方の分割ケーシング１Ｂがスライド収納された状態におけるケーシング本体１内の気密性を確保することができる。
第９の発明は、前記分割ケーシング１Ａ，１Ｂの両側部に、前記他方の分割ケーシング１Ｂのスライド操作時において該他方の分割ケーシング１Ｂをガイドするスライドガイド手段Ａを設けている。
したがって、この第９の発明によれば、他方の分割ケーシング１Ｂの一方の分割ケーシング１Ａへのスライド収納あるいは他方の分割ケーシング１Ｂの一方の分割ケーシング１Ａからの引き出し操作を、スライドガイド手段Ａのガイド作用により円滑に行うことができる。
第１０の発明は、前記スライドガイド手段Ａを、前記一方の分割ケーシング１Ａの側面に突設されたガイドレール１６と、前記他方の分割ケーシング１Ｂの側面に形成されて前記ガイドレール１６が遊嵌される凹溝１７とによって構成している。
したがって、この第１０の発明によれば、スライドガイド手段Ａの構造が簡略化できる。
第１１の発明は、前記凹溝１７を、前記シール保持部材１３に一体に形成している。
したがって、この第１１の発明によれば、部品点数の減少による組付工数および製造コストの低減を図ることができる。
第１２の発明は、前記キャスター３Ａ，３Ｂを、前記分割ケーシング１Ａ，１Ｂのスライド方向の両端部に位置して設けている。
したがって、この第１２の発明によれば、収納時においても引き出し時においてもケーシング本体１の安定性を確保することができる。
第１３の発明は、前記一方の分割ケーシング１Ａの底部に、該一方の分割ケーシング１Ａに他方の分割ケーシング１Ｂがスライド収納された状態において該他方の分割ケーシング１Ｂ側のキャスター３Ｂ，３Ｂを収容する切欠部２０を形成するとともに、前記他方の分割ケーシング１Ｂの底部に、一方の分割ケーシング１Ａから他方の分割ケーシング１Ｂが引き出された状態において前記切欠部２０を覆う蓋部材２１を設けている。
したがって、この第１３の発明によれば、他方の分割ケーシング１Ｂのスライド収納時における収納度を最大とすることができる。換言すれば、床占有面積を最小とすることができる。その上、他方の分割ケーシング１Ｂの引き出し時においても完全な底部構造を確保することができる。
第１４の発明は、前記蓋部材２１を、前記他方の分割ケーシング１Ｂにおける底部のスライド方向の前端に回動自在に取り付けている。
したがって、この第１４の発明によれば、蓋部材２１の操作性が向上する。
第１５の発明〜第１８の発明は、ケーシング本体１を一対の分割ケーシング１Ａ，１Ｂにより構成している。前記各分割ケーシング１Ａ，１Ｂは、保管物を収納する組立状態に互いに連結可能に且つ互いに分離可能に構成している。さらに、前記両分割ケーシング１Ａ，１Ｂは、一方の分割ケーシング１Ａへ他方の分割ケーシング１Ｂを反転して収納するように構成している。
したがって、この第１５の発明〜第１８の発明によれば、使用時において、分割ケーシング１Ａ，１Ｂを組み立てることによりケーシング本体１の容積（保管物の収納容積）を最大とすることができる。一方、不使用時においては、一方の分割ケーシング１Ａに他方の分割ケーシング１Ｂを収納することによりケーシング本体１の床占有面積が最小とすることができる。
この結果、中元シーズンや歳暮シーズンという繁忙期以外の中間期における保管効率を大きく向上させることができる。
第１９の発明〜第２１の発明は、ケーシング本体１を一対の分割ケーシング１Ａ，１Ｂにより構成している。前記各分割ケーシング１Ａ，１Ｂは、保管物を収納する組立状態に互いに連結可能に且つ互いに分離可能に構成している。さらに、前記少なくとも一方の分割ケーシング１Ａ，１Ｂの側面は、奥行き方向の長さが伸び縮みするように形成されている。
したがって、この第１９の発明〜第２１の発明によれば、使用時において、分割ケーシング１Ａ，１Ｂを組み立てることによりケーシング本体１の容積（保管物の収納容積）を最大とすることができる。一方、不使用時においては、少なくとも１つの分割ケーシング１Ｂにおける側面の奥行き方向の長さを縮めることによりケーシング本体１の床占有面積が最小とすることができる。
この結果、中元シーズンや歳暮シーズンという繁忙期以外の中間期における保管効率を大きく向上させることができる。
産業上の利用可能性
以上のように、本発明に係る断熱庫は、トラック等に積載して輸送される断熱庫として有用であり、特に、稼働率の変動が大きい断熱庫に適している。
【図面の簡単な説明】
図１は、本願発明の第１の実施形態にかかる断熱庫の正面図である。
図２は、本願発明の第１の実施形態にかかる断熱庫のスライド伸長時の側面図である。
図３は、本願発明の第１の実施形態にかかる断熱庫のスライド収納時の側面図である。
図４は、本願発明の第１の実施形態にかかる断熱庫のスライド伸長時の縦断面図である。
図５は、本願発明の第１の実施形態にかかる断熱庫のスライド収納時の縦断面図である。
図６は、図４のＶＩ−ＶＩにおける断面図である。
図７は、図５のＶＩＩ−ＶＩＩにおける断面図である。
図８は、本願発明の第１実施形態にかかる断熱庫のスライド伸長時のシール状態を示す要部拡大断面図である。
図９は、本願発明の第１実施形態にかかる断熱庫のスライド伸長時のシール状態を示す要部拡大斜視図である。
図１０は、本願発明の第１実施形態にかかる断熱庫におけるシール保持部材の構造を示す拡大分解斜視図である。
図１１は、本願発明の第１実施形態にかかる断熱庫におけるシール保持部材の他の構造を示す拡大分解斜視図である。
図１２は、本願発明の第２実施形態にかかる断熱庫のスライド収納時の縦断面図である。
図１３は、本願発明の第３実施形態にかかる断熱庫の組立状態を示す斜視図である。
図１４は、本願発明の第３実施形態にかかる断熱庫の分解状態を示す斜視図である。
図１５は、本願発明の第３実施形態にかかる断熱庫の被収納側分割ケーシングの反転時を示す斜視図である。
図１６は、本願発明の第３実施形態にかかる断熱庫の収納状態を示す斜視図である。
図１７は、本願発明の第４実施形態にかかる断熱庫の組立状態を示す斜視図である。
図１８は、本願発明の第４実施形態にかかる断熱庫の分解状態を示す斜視図である。
図１９は、本願発明の第４実施形態にかかる断熱庫の被収納側分割ケーシングの反転時を示す斜視図である。
図２０は、本願発明の第４実施形態にかかる断熱庫の収納状態を示す斜視図である。
図２１は、本願発明の第５実施形態にかかる断熱庫の組立状態を示す斜視図である。
図２２は、本願発明の第５実施形態にかかる断熱庫の分解状態を示す斜視図である。
図２３は、本願発明の第５実施形態にかかる断熱庫の収納状態を示す斜視図である。
図２４は、本願発明の第６実施形態にかかる断熱庫の組立状態を示す斜視図である。
図２５は、本願発明の第６実施形態にかかる断熱庫の分解時を示す斜視図である。
図２６は、本願発明の第６実施形態にかかる断熱庫の側板の折り畳み状態を示す斜視図である。
図２７は、本願発明の第６実施形態にかかる断熱庫の収納状態を示す斜視図である。
図２８は、本願発明の第６実施形態の変形例にかかる断熱庫の側板の組立状態を示す斜視図である。
図２９は、本願発明の第６実施形態の変形例にかかる断熱庫の側板の折り畳み前を示す斜視図である。
図３０は、本願発明の第７実施形態にかかる断熱庫の組立状態を示す斜視図である。
図３１は、本願発明の第７実施形態にかかる断熱庫の分解状態を示す斜視図である。
図３２は、本願発明の第７実施形態にかかる断熱庫の収納状態を示す斜視図である。
図３３（ａ）および（ｂ）は、本願発明の第７実施形態にかかる断熱庫の組立状態を示す平面図および側面図である。
図３４（ａ）および（ｂ）は、本願発明の第７実施形態にかかる断熱庫の分解状態を示す平面図および側面図である。
図３５（ａ）および（ｂ）は、本願発明の第７実施形態にかかる断熱庫の収納状態を示す平面図および側面図である。
【図１】
0004524991.tif 000002
【図２】
0004524991.tif 000003
【図３】
0004524991.tif 000004
【図４】
0004524991.tif 000005
【図５】
0004524991.tif 000006
【図６】
0004524991.tif 000007
【図７】
0004524991.tif 000008
【図８】
0004524991.tif 000009
【図９】
0004524991.tif 000010
【図１０】
0004524991.tif 000011
【図１１】
0004524991.tif 000012
【図１２】
0004524991.tif 000013
【図１３】
0004524991.tif 000014
【図１４】
0004524991.tif 000015
【図１５】
0004524991.tif 000016
【図１６】
0004524991.tif 000017
【図１７】
0004524991.tif 000018
【図１８】
0004524991.tif 000019
【図１９】
0004524991.tif 000020
【図２０】
0004524991.tif 000021
【図２１】
0004524991.tif 000022
【図２２】
0004524991.tif 000023
【図２３】
0004524991.tif 000024
【図２４】
0004524991.tif 000025
【図２５】
0004524991.tif 000026
【図２６】
0004524991.tif 000027
【図２７】
0004524991.tif 000028
【図２８】
0004524991.tif 000029
【図２９】
0004524991.tif 000030
【図３０】
0004524991.tif 000031
【図３１】
0004524991.tif 000032
【図３２】
0004524991.tif 000033
【図３３】
0004524991.tif 000034
【図３４】
0004524991.tif 000035
【図３５】
0004524991.tif 000036